(57)【要約】本発明は、データチャネルを介して送信エンティティから受信エンティティにデータパケットを送信するハイブリッド自動再送要求（ＨＡＲＱ）方法に関する。更に、本発明は、ＨＡＲＱ方法で実行する移動局、基地局、無線ネットワーク制御装置および通信システムに関する。非同期再送から結果として生ずる問題を克服するために、本発明は、同期再送を行うＨＡＲＱ方法を提供する。同方法によると、送信エンティティにおいて受信エンティティからフィードバックメッセージが受信され、データパケットの受信が成功していないことをフィードバックメッセージが示す場合、上記フィードバックメッセージを受信してから所定タイムスパン後に受信エンティティに再送データパケットが送信される。受信エンティティは、先に受信したデータパケットと再送データパケットを軟合成する。
2007517431.tif 000002
【特許請求の範囲】
【請求項１】
データチャネルを介して送信エンティティから受信エンティティにデータパケットを送信するハイブリッド自動再送要求方法であって、
前記受信エンティティによってデータパケットの受信が成功したか否かを示す受信エンティティからのフィードバックメッセージを前記送信エンティティで受信するステップと、
前記データパケットの受信が成功しなかったことを前記フィードバックメッセージが示す場合に、前記フィードバックメッセージを受信してから所定タイムスパン後に前記受信エンティティに再送データパケットを送信するステップと、
前記受信エンティティにおいて先に受信したデータパケットと前記再送データパケットを軟合成するステップと、を有する方法。
【請求項２】
前記再送データパケットが送信時間間隔の始めに送られる、請求項１記載の方法。
【請求項３】
前記所定タイムスパンが前記フィードバックメッセージを処理するのに必要な処理時間以上である、請求項１または請求項２記載の方法。
【請求項４】
スケジューリングエンティティでデータ送信のエアインタフェースリソースを制御するステップと、
前記所定タイムスパン後に前記再送データパケットを送信するためのリソースを前記エアインタフェース上で確保するステップと、を更に有する請求項１乃至請求項３のいずれかに記載の方法。
【請求項５】
前記送信エンティティにおいて、前記送信エンティティに割り当てられたリソースが、同じ送信時間間隔内で、所定タイムスパン後の再送データパケットと、当該再送データパケットよりも高い送信優先度を有する送信保留中の他のデータとを送信するのに十分であるか否かを判定するステップと、
十分でない場合、前記送信時間間隔で前記送信保留中データを送信し、前記再送データパケットの送信を後の送信時間間隔に延期するステップと、を更に備える請求項１乃至請求項４のいずれかに記載の方法。
【請求項６】
同じ送信時間間隔内で、前記所定タイムスパン後の前記再送データパケットと、当該再送データパケットよりも高い優先度を有する前記送信保留中データとを送信するのに必要な送信電力が前記送信エンティティに割り当てられる最大送信電力未満か否かを前記送信エンティティにおいて判定するステップを更に備える、請求項１乃至請求項５のいずれかに記載の方法。
【請求項７】
前記必要な送信電力が前記割り当てられる最大送信電力より大きい場合、前記割り当てられる最大送信電力を用いて、前記送信保留中データと、前記所定タイムスパン後の前記再送データパケットとを送信するステップを更に備える、請求項６記載の方法。
【請求項８】
前記再送データパケットが、そのトランスポートフォーマットに必要なレベルよりも低い電力レベルで送信される、請求項７記載の方法。
【請求項９】
前記所定タイムスパン後の前記再送データパケットと、前記送信保留中データとを送信するのに必要な送信電力が前記割り当てられる最大送信電力より大きい場合、前記送信保留中データを送信し、前記所定タイムスパン後の前記再送データパケットの送信を中止するステップを更に備える、請求項６記載の方法。
【請求項１０】
データ送信がタイムアンドレート制御スケジューリングモードで実行される場合に、前記再送データパケットを送信するためのリソースを要求するスケジューリング要求メッセージを、前記送信エンティティからスケジューリングエンティティに送信するステップを更に備える、請求項９記載の方法。
【請求項１１】
前記所定タイムスパン後の前記再送データパケットが受信されず、かつデータ送信がタイムアンドレート制御スケジューリングモードで実行される場合に、前記受信エンティティにおいて、前記送信エンティティからの前記スケジューリング要求メッセージを待ち、前記送信エンティティにフィードバックメッセージが送信されたデータパケットを一時的に記憶するバッファの内容物を保持するステップを更に備える、請求項１０記載の方法。
【請求項１２】
データ送信がレート制御スケジューリングモードで実行される場合、前記所定タイムスパンの経過後の時点で前記再送データパケットを送信するステップを更に備える、請求項１０記載の方法。
【請求項１３】
前記所定タイムスパン後の前記再送データパケットが受信されない場合、前記受信エンティティにおいて、前記送信エンティティからの前記再送データパケットを待ち、前記送信エンティティにフィードバックメッセージが送信されたデータパケットを一時的に記憶するバッファの内容物を保持するステップを更に備える、請求項１２記載の方法。
【請求項１４】
データ送信が拡張アップリンク個別トランスポートチャネルで実行される、請求項１乃至請求項１３のいずれかに記載の方法。
【請求項１５】
移動局と基地局とを有する移動体無線通信システムにおいてデータパケットの軟合成を適用するＨＡＲＱ再送プロトコルを用いて基地局にデータパケットを送信する移動局であって、
受信エンティティによってデータパケットの受信が成功したか否かを示す前記受信エンティティからのフィードバックメッセージを送信エンティティで受信する受信手段と、
データパケットの受信が成功しなかったことをフィードバックメッセージが示す場合、前記フィードバックメッセージを受信してから所定タイムスパン後に再送データパケットを送信する送信手段と、を備える移動局。
【請求項１６】
請求項１乃至請求項１４のいずれかに記載のハイブリッド自動再送要求方法を実行するよう構成される、請求項１５記載の移動局。
【請求項１７】
移動局と基地局とを有する移動体無線通信システムにおいてデータパケットの軟合成を適用するＨＡＲＱ再送プロトコルを用いて基地局にデータパケットを送信する移動局であって、
制御メッセージにおいて、請求項１乃至請求項１４のいずれかに記載のパケット送信方法を実行するか否か、または、別のハイブリッド自動再送要求方法を実行するか否かを示す再送モードインジケータを受信する受信手段と、
前記再送モードインジケータによって示されるパケット再送モードに従ってデータチャネル上で再送データパケットを送信する送信手段と、を備える移動局。
【請求項１８】
前記制御メッセージが無線ベアラセットアップメッセージである、請求項１７記載の移動局。
【請求項１９】
前記受信手段が、確立されたデータチャネルの制御メッセージを受信するよう構成され、
前記送信モードインジケータに従って前記送信手段のパケット再送モードを切り換える切り換え手段を更に備える、請求項１７記載の移動局。
【請求項２０】
前記制御メッセージが無線ベアラ再設定メッセージである、請求項１９記載の移動局。
【請求項２１】
前記送信手段が、データ送信に用いられるスケジューリングモードに応答して異なるハイブリッド自動再送要求方法の一つを実行するよう構成される、請求項１５乃至請求項２０のいずれかに記載の移動局。
【請求項２２】
移動局と基地局とを有する移動体無線通信システムにおいてデータパケットの軟合成を適用するＨＡＲＱ再送プロトコルを用いて移動局にデータパケットを送信する基地局であって、
受信エンティティによってデータパケットの受信が成功したか否かを示す前記受信エンティティからのフィードバックメッセージを送信エンティティで受信する受信手段と、
データパケットの受信が成功しなかったことをフィードバックメッセージが示す場合に、前記フィードバックメッセージを受信してから所定タイムスパン後に再送データパケットを送信する送信手段と、を備える基地局。
【請求項２３】
請求項１乃至請求項１４のいずれかに記載の方法を実行するよう構成される、請求項２２記載の基地局。
【請求項２４】
前記送信手段が、データ送信に用いられるスケジューリングモードに応答して異なるハイブリッド自動再送要求方法の一つを実行するよう構成される、請求項２２または請求項２３記載の基地局。
【請求項２５】
データパケットの軟合成を適用するＨＡＲＱ再送プロトコルの少なくとも一つのパラメータを構成し、前記ＨＡＲＱ再送プロトコルが移動局と無線ネットワーク制御装置とを有する移動体無線通信システムにおいて移動局によるデータ送信に使用される、無線ネットワーク制御装置であって、
前記移動局への制御メッセージにおいて、請求項１乃至請求項１４のいずれかに記載のハイブリッド自動再送要求方法を実行するか否か、または、別のハイブリッド自動再送要求方法を実行するか否かを示す再送モードインジケータを送信する送信手段を備える、無線ネットワーク制御装置。
【請求項２６】
請求項１４乃至請求項２０のいずれかに記載の移動局と、請求項２１乃至請求項２３のいずれかに記載の基地局とを備え、
通信チャネルを介して前記移動局から前記基地局にデータパケットを送信するためにＨＡＲＱプロトコルを実行するよう構成される、無線通信システム。
【請求項２７】
請求項２４記載の無線ネットワーク制御装置を更に備える無線通信ネットワーク。
【発明の詳細な説明】
【技術分野】
【０００１】
本発明は、送信エンティティから受信エンティティにデータチャネルを介してデータパケットを送信するハイブリッド自動再送要求（ＨＡＲＱ）方法に関する。本発明は、更に、ＨＡＲＱ方法で実行する移動局、基地局、無線ネットワーク制御装置および通信システムに関する。
【背景技術】
【０００２】
Ｗ−ＣＤＭＡ（広帯域符号分割多元接続）とは、第３世代無線移動体通信システムとしての使用のために標準化されたＩＭＴ−２０００（国際移動体通信）の無線インタフェースであり、柔軟且つ効率的な方法で音声サービスやマルチメディア移動体通信サービス等の各種サービスを提供する。日本、欧州、米国および他国における標準化機構は、Ｗ−ＣＤＭＡの共通の無線インタフェース仕様を作成するために第３世代パートナーシッププロジェクト（３ＧＰＰ）と呼ばれるプロジェクトを合同で組織した。
【０００３】
ＩＭＴ−２０００の標準化欧州版は、一般的にＵＭＴＳ（ユニバーサル移動体通信システム）と呼ばれる。ＵＭＴＳの仕様の最初のリリースは、１９９９年に発行された（リリース９９）。一方、リリース４およびリリース５において規格に対する幾つかの改良が３ＧＰＰによって標準化され、リリース６の範囲において更なる改良に関する議論が行われている。
【０００４】
ダウンリンクおよびアップリンクの個別チャネル（ＤＣＨ）と、ダウンリンク共有チャネル（ＤＳＣＨ）は、リリース９９およびリリース４において定められている。その年以降、開発者は、マルチメディアサービスあるいはデータサービス全般の提供のためには、高速で非対称のアクセスが実施されなくてはならないと認識した。リリース５では、高速ダウンリンクパケットアクセス（ＨＳＤＰＡ）が導入されている。この新しい高速ダウンリンク共有チャネル（ＨＳ−ＤＳＣＨ）は、ＵＭＴＳ仕様においてＵＭＴＳ無線アクセスネットワーク（ＲＡＮ）からユーザ機器と呼ばれる通信端末までのダウンリンク高速アクセスをユーザに提供する。
【０００５】
非リアルタイムサービスの誤り検出の最も一般的な技法は、前方誤り訂正（ＦＥＣ）と組み合わされる自動再送要求（ＡＲＱ）方式、いわゆるハイブリッドＡＲＱに基づく。巡回冗長検査（ＣＲＣ）が誤りを検出した場合、受信器は追加ビットまたは新規データパケットを送るよう送信器に要求する。別の既存の方式では、ストップアンドウェイト（ＳＡＷ）および選択再送（ＳＲ）連続ＡＲＱが移動体通信で最も頻繁に使用されている。
【０００６】
データユニットは、送信前に符号化される。再送されるビットにより、三つの異なるタイプのＡＲＱが定められる。
【０００７】
ＨＡＲＱタイプＩでは、受信した誤りのあるデータパケット（ＰＤＵ（パケットデータユニット）とも呼ばれる）は放棄され、当該ＰＤＵの新しいコピーが再送され別々に復号化される。当該ＰＤＵの古い方のバージョンと新しい方のバージョンとが合成されることはない。ＨＡＲＱタイプＩＩを用いると、再送される必要のある誤りのあるＰＤＵは放棄されないが、送信器によって与えられる幾らかの増加冗長（incremental redundancy）ビットと、後々の復号化のために合成される。再送されたＰＤＵは、しばしば高い符号化率を有し、受信器で記憶された値と合成される。つまり、各再送において僅かな冗長だけが付加される。
【０００８】
最後に、ＨＡＲＱタイプＩＩＩはタイプＩＩと略同じパケット再送方式であるが、全ての再送されたＰＤＵが自己復号化可能である。つまり、ＰＤＵが先のＰＤＵと合成されることなく復号化可能であることを意味する。再利用できる情報が殆どなくなるような損傷を幾つかのＰＤＵが受けている場合、自己復号化可能なパケットが有利には使用される。
【０００９】
チェイス合成（chase combining）を用いる場合、再送パケットは同一のシンボルを有する。この場合、複数の受信パケットはシンボル毎にまたはビット毎に合成される（非特許文献１参照）。これら合成された値はそれぞれのＨＡＲＱ処理のソフトバッファに記憶される。
【００１０】
パケットスケジューリング
パケットスケジューリングは、共有媒体への参入を許可されたユーザに対して送信機会および送信フォーマットを割り当てるのに使用される無線リソース管理アルゴリズムであり得る。スケジューリングは、例えば、好ましいチャネル条件でユーザに送信機会を割り当てることで、スループット／容量を最大化するために適応変調符号化と組み合わせてパケットベースの移動体無線ネットワークで使用することができる。ＵＭＴＳにおけるパケットデータサービスは、ストリーミングサービスにも使用され得るが、双方向および背景のトラフィッククラスにも適用可能である。双方向および背景のクラスに属するトラフィックは、非リアルタイム（ＮＲＴ）トラフィックとして扱われ、パケットスケジューラによって制御される。パケットスケジューリング方法は、下記により特徴付けられる：
・スケジューリング期間／頻度：時間的に予めユーザがスケジューリングされる期間
・サービス順番：例えばランダムな順番（ラウンドロビン）またはチャネル品質（Ｃ／Ｉまたはスループットに基づく）に従ってユーザがサービスを受ける順番
・割り当て方法：リソース割り当ての基準（例えば、割り当て間隔当たり、キューに入れられた全てのユーザに対して同じデータ量または同じ電力／符号／時間リソース）
アップリンクのパケットスケジューラは、３ＧＰＰ  ＵＭＴＳ  Ｒ９９／Ｒ４／Ｒ５において、無線ネットワーク制御装置（ＲＮＣ）とユーザ機器との間で分配される。アップリンク上では、異なるユーザによって共有されるべきエアインタフェースリソースは、ノードＢ（Node B）での総受信電力であり、従って、スケジューラのタスクは電力をユーザ機器に割り当てることである。現在のＵＭＴＳＲ９９／Ｒ４／Ｒ５仕様において、ＲＮＣは、異なるトランスポートフォーマット（変調方式、符号化率等）のセットを各ユーザ機器に割り当てることによって、ユーザ機器がアップリンク送信中に送信することができる最大のレート／電力を制御する。
【００１１】
このようなＴＦＣＳ（トランスポートフォーマットコンビネーションセット）の確立および再設定（reconfiguration）は、ＲＮＣとユーザ機器との間の無線リソース制御（ＲＲＣ）メッセージングを用いて実現することができる。ユーザ機器は、自身の状態、例えば、利用可能な電力およびバッファの状態に基づいて、割り当てられたトランスポートフォーマットコンビネーションの中から自発的に（autonomously）選択することができる。現在のＵＭＴＳ  Ｒ９９／Ｒ４／Ｒ５仕様では、アップリンクでのユーザ機器の送信には、時間についての制御が課せられない。スケジューラは、例えば、送信時間間隔ベースで動作することができる。
【００１２】
ＵＭＴＳ構成
ユニバーサル移動体通信システム（ＵＭＴＳ）の高レベルＲ９９／４／５構成は図１に示される（http://www.3gpp.orgから入手可能な非特許文献２参照）。そのネットワーク要素は、コアネットワーク（ＣＮ）１０１と、ＵＭＴＳ地上無線アクセスネットワーク（ＵＴＲＡＮ）１０２と、ユーザ機器（ＵＥ）１０３とに機能的にグループ化される。ＵＴＲＡＮ１０２は、全ての無線関連機能を扱う役割を担い、ＣＮ１０１は、外部ネットワークに呼およびデータの接続をルーティングする役割を担う。これらのネットワーク要素の相互接続は、オープンインタフェース（Ｉｕ、Ｕｕ）によって定められる。ＵＴＭＳシステムがモジュール式であるため、同じタイプのネットワーク要素を数個有することが可能であることに留意すべきである。
【００１３】
図２は、ＵＴＲＡＮの現在の構成を例示する。幾つかの無線ネットワーク制御装置（ＲＮＣ）２０１、２０２がＣＮ１０１に接続されている。各ＲＮＣ２０１、２０２は、一つのあるいは幾つかの基地局（ノードＢ）２０３、２０４、２０５、２０６を制御し、これらはユーザ機器と通信する。幾つかの基地局を制御するＲＮＣは、当該基地局のコントローリングＲＮＣ（Ｃ−ＲＮＣ）と呼ばれる。Ｃ−ＲＮＣを伴う制御される基地局のセットは、無線ネットワークサブシステム（ＲＮＳ）２０７、２０８と呼ばれる。ユーザ機器とＵＴＲＡＮとの間の各接続に対して、一つのＲＮＳがサービングＲＮＳ（Ｓ−ＲＮＳ）となる。Ｓ−ＲＮＳはコアネットワーク（ＣＮ）１０１とのいわゆるＩｕ接続を維持する。図３に示すように、必要な場合には、ドリフトＲＮＳ３０２（Ｄ−ＲＮＳ）３０２が、無線リソースを供給することでサービングＲＮＳ（Ｓ−ＲＮＳ）３０１をサポートする。それぞれのＲＮＳは、サービングＲＮＣ（Ｓ−ＲＮＣ）およびドリフトＲＮＣ（Ｄ−ＲＮＣ）と呼ばれる。Ｃ−ＲＮＣおよびＤ−ＲＮＣは同一でよく、しばしばそうであり、よってＳ−ＲＮＣまたはＲＮＣの略記が使用される。
【００１４】
拡張アップリンク個別チャネル（Ｅ−ＤＣＨ）
個別トランスポートチャネル（ＤＴＣＨ）のアップリンクエンハンスメントは、現在３ＧＰＰ技術仕様グループＲＡＮによって研究されている（http://www.3gpp.orgから入手可能な非特許文献３参照）。ＩＰベースのサービスの使用がより重要になるため、ＲＡＮの受信可能範囲（coverage）およびスループットを改善し、アップリンク個別トランスポートチャネルの遅延を減少させる要求が高まってきている。ストリーミング、双方向および背景のサービスは、この拡張アップリンクから得られる。
【００１５】
一つの拡張は、ノードＢ制御スケジューリング（Node B controlled scheduling）と関連して適応変調符号化方式（ＡＭＣ）を使用することであり、従って、Ｕｕインタフェースの拡張である。既存のリリース９９／４／５システムでは、アップリンクの最大データレート制御はＲＮＣにある。ノードＢにおけるスケジューラを再配置することにより、ＲＮＣとノードＢとの間のインタフェース上でのシグナリングにより生ずる待ち時間が減少され、それにより、スケジューラはアップリンク負荷における時間的な変化により速く対応することができる。これにより、ＲＡＮとのユーザ機器の通信における全体的な待ち時間が減少される。従って、ノードＢ制御スケジューリングは、アップリンク負荷が減少した際には迅速により高いデータレートを割り当て、アップリンク負荷が増加した際にはアップリンクデータレートを制限することで、アップリンク干渉をより良く制御し、雑音上昇の変動を平滑にすることができる。受信可能範囲およびセルスループットは、アップリンク干渉をより良く制御することで改善される。
【００１６】
アップリンク上の遅延を減少させるために考えられる別の技法は、他のトランスポートチャネルと比べて、より短いＴＴＩ（送信時間間隔）の長さをＥ−ＤＣＨに導入することである。現在、２ｍｓの送信時間間隔の長さがＥ−ＤＣＨでの使用に関して調べられている。一方、１０ｍｓの送信時間間隔が他のチャネルで一般的に使用されている。ＨＳＤＰＡにおける重要な技術の一つであるハイブリッドＡＲＱも拡張アップリンク個別チャネルとして考えられている。ノードＢとユーザ機器との間のハイブリッドＡＲＱプロトコルは、誤って受信したデータユニットを迅速に再送することを可能にし、従って、ＲＬＣ（無線リンク制御）再送の数および関連する遅延を減少させる。これにより、エンドユーザが経験するサービス品質（quality of service）が改善され得る。
【００１７】
上述の拡張をサポートするために、以下ではＭＡＣ−ｅｕと呼ばれる新しいＭＡＣサブレイヤが導入される（非特許文献４参照）。以下でより詳細に説明する新しいサブレイヤのエンティティは、ユーザ機器およびノードＢに配置されてもよい。ユーザ機器側では、ＭＡＣ−ｅｕは上位レイヤデータ（例えば、ＭＡＣ−ｄ）を新しい拡張トランスポートチャネルに多重化しＨＡＲＱプロトコル送信エンティティを動作する新しいタスクが実行される。
【００１８】
ユーザ機器におけるＥ−ＤＣＨ  ＭＡＣ構成
図４は、ユーザ機器側での典型的なＥ−ＤＣＨ  ＭＡＣ構成全体を示す。新しいＭＡＣ機能エンティティであるＭＡＣ−ｅｕ５０３が、リリース／９９／４／５のＭＡＣ構成に追加される。ＭＡＣ−ｅｕ５０３エンティティは図５により詳細に示される。
【００１９】
ユーザ機器からノードＢに送信されるべきデータパケットを運ぶＭ個の異なるデータフロー（ＭＡＣ−ｄ）が存在する。これらのデータフローは、異なるＱｏＳ（サービス品質）、例えば、遅延およびエラーの要件を有してもよく、ＨＡＲＱインスタンスの異なる設定を必要とし得る。従って、データパケットは、異なる優先度キューに記憶され得る。ユーザ機器およびボードＢにそれぞれ位置するＨＡＲＱ送受信のエンティティのセットは、ＨＡＲＱ処理と称される。スケジューラは、異なる優先度キューにＨＡＲＱ処理を割り当てる際にＱｏＳパラメータを考慮する。ＭＡＣ−ｅｕエンティティは、レイヤ１シグナリングを介してノードＢ（ネットワーク側）からスケジューリング情報を受信する。
【００２０】
ＵＴＲＡＮにおけるＥ−ＤＣＨ  ＭＡＣ構成
ソフトハンドオーバ動作では、ＵＴＲＡＮ側のＥ−ＤＣＨ  ＭＡＣ構成におけるＭＡＣ−ｅｕエンティティは、ノードＢ（ＭＡＣ−ｅｕｂ）およびＳ−ＲＮＣ（ＭＡＣ−ｅｕｒ）にわたって分散される。ノードＢにおけるスケジューラは、アクティブユーザを選び、命令レート、提案レート、または送信に許可されるＴＣＦＳ（トランスポートフォーマットコンビネーションセット）のサブセットにアクティブユーザ（ＵＥ）を制限するＴＦＣ（トランスポートフォーマットコンビネーション）閾値を決定しシグナリングすることで、レート制御を実行する。
【００２１】
各ＭＡＣ−ｅｕエンティティが一つのユーザ（ＵＥ）に対応する。図６では、ノードＢのＭＡＣ−ｅｕ構成がより詳細に示される。各ＨＡＲＱ受信器エンティティには、未受信の（outstanding）再送のパケットのビットを合成するためにソフトバッファメモリの一定の量または領域が割り当てられることに留意すべきである。一旦パケットの受信が成功すると、並べ替えバッファに送られ、上位レイヤへの順番通りの配信（in-sequence delivery）を提供する。記載した実施物によると、ソフトハンドオーバ中、並べ替えバッファはＳ−ＲＮＣに存在する（http://www.3gpp.orgから入手可能な非特許文献５参照）。図７では、対応するユーザ（ＵＥ）の並べ替えバッファを備えるＳ−ＲＮＣ  ＭＡＣ−ｅｕ構成が示される。並べ替えバッファの数は、ユーザ機器側の対応するＭＡＣ−ｅｕエンティティにおけるデータフローの数に等しい。データおよび制御情報は、ソフトハンドオーバ中、アクティブセット内の全てのノードＢからＳ−ＲＮＣに送られる。
【００２２】
要求されるソフトバッファサイズが、使用されるＨＡＲＱ方式に依存し、例えば、増加冗長（ＩＲ）を用いるＨＡＲＱ方式がチェイス合成（ＣＣ）を用いるものよりもより多くのソフトバファを必要とすることに留意すべきである。
【００２３】
Ｅ−ＤＣＨシグナリング
特定方式の動作に必要なＥ−ＤＣＨに関連する制御シグナリングは、アップリンクおよびダウンリンクのシグナリングを含む。シグナリングは、考えられるアップリンクエンハンスメントに依存する。
【００２４】
ノードＢ制御スケジューリング（例えば、ノードＢ制御タイムアンドレートスケジューリング（Node B controlled time and rate scheduling））を可能にするために、ユーザ機器は、データをノードＢに送信するための何らかの要求メッセージをアップリンクで送らなくてはならない。要求メッセージは、ユーザ機器の状態情報、例えば、バッファ状態、電力状態、チャネル品質推定値等を含む。要求メッセージは、以下ではスケジューリング情報（ＳＩ）と称される。当該情報に基づいて、ノードＢは雑音上昇を推定し、ＵＥをスケジューリングすることができる。ノードＢからＵＥにダウンリンクで許可メッセージが送られると、ノードＢはＵＥが送ることができる最大データレートおよび時間間隔のＴＦＣＳをＵＥに割り当てる。許可メッセージは、以下ではスケジューリング割り当て（ＳＡ）と称される。
【００２５】
アップリンクでは、ユーザ機器は、送信されたパケットを正しく復号化するために必要なレートインジケータメッセージ情報、例えば、トランスポートブロックサイズ（ＴＢＳ）、変調符号化方式（ＭＣＳ）レベル等をノードＢにシグナリングしなくてはならない。更に、ＨＡＲＱが使用される場合、ユーザ機器は、ＨＡＲＱに関連する制御情報、例えば、ハイブリッドＡＲＱ処理番号、ＵＭＴＳリリース５で新規データインジケータ（ＮＤＩ）と称されるＨＡＲＱシーケンス番号、冗長バージョン（ＲＶ）、レートマッチングパラメータ等をシグナリングしなくてはならない。
【００２６】
拡張アップリンク個別チャネル（Ｅ−ＤＣＨ）で送信されたパケットの受信および復号化の後、ノードＢは、ダウンリンクでそれぞれＡＣＫ／ＮＡＣＫを送ることで送信が成功したか否かをユーザ機器に通知しなくてはならない。
【００２７】
Ｅ−ＤＣＨ  −  ノードＢ制御スケジューリング
ノードＢ制御スケジューリングは、アップリンクにおいてより高いセルスループットを提供し、受信可能範囲を増大させるために、アップリンク電力リソースのより効率的な使用を可能にすることが見越される、Ｅ−ＤＣＨの技術的特徴の一つである。「ノードＢ制御スケジューリング」という用語は、ＵＥが好適なＴＦＣを選択することができるＴＦＣのセットを、ＲＮＣによって設定される制限内でノードＢが制御する可能性に言及する。ＵＥがＴＦＣを自発的に選択するＴＦＣのセットは、以下では「ノードＢ制御ＴＦＣサブセット（Node B controlled TFC subset）」と呼ばれる。「ノードＢ制御ＴＦＣサブセット」は、図８に示されるように、ＲＮＣによって構成されるＴＦＣＳのサブセットである。ＵＥは、リリース５のＴＦＣ選択アルゴリズムを用いる「ノードＢ制御ＴＦＣサブセット」から好適なＴＦＣを選択する。十分な電力マージンおよび十分な利用可能なデータがあり、且つ、ＴＦＣがブロックされた状態でないことを前提として、「ノードＢ制御ＴＦＣサブセット」におけるどのＴＦＣがＵＥによって選択されてもよい。Ｅ−ＤＣＨのＵＥ送信をスケジューリングするために二つの基本的な技法がある。スケジューリング方式は全てＵＥにおけるＴＦＣ選択の管理として考えられ、ノードＢがどのようにして当該処理および関連するシグナリング要件に影響を与えるかの点で主に異なる。
【００２８】
ノードＢ制御レートスケジューリング（Node B controlled rate scheduling）
このスケジューリング技法の原理は、高速ＴＦＣＳ制限制御によってユーザ機器のトランスポートフォーマットコンビネーション選択を制御し制限することをノードＢに可能にさせることである。ノードＢは、レイヤ１シグナリングによって、ユーザ機器が好適なトランスポートフォーマットコンビネーションを自発的に選択することができる「ノードＢ制御サブセット（Node B controlled subset）」を拡大／減少してもよい。ノードＢ制御レートスケジューリングでは、全てのアップリンク送信は並行に行われるが、ノードＢにおける雑音上昇閾値を超えない十分に低いレートで行われる。それにより、異なるユーザ機器からの送信が時間的に重複する。レートスケジューリング（rate scheduling）では、ノードＢはアップリンクＴＦＣＳだけを制限し、ＵＥがＥ−ＤＣＨ上でデータを送信する時間については制御しない。同時に送信しているＵＥの数をノードＢが知らないことにより、セルにおけるアップリンク雑音上昇の正確な制御も可能にならない（http://www.3gpp.orgから入手可能な非特許文献３のversion 1.0.0を参照）。
【００２９】
ノードＢとユーザ機器との間のレイヤ１シグナリングによるトランスポートフォーマットコンビネーション制御を可能にするために二つの新しいレイヤ１メッセージが導入される。レート要求（ＲＲ）は、ユーザ機器からノードＢにアップリンクで送られる。ＲＲにより、ユーザ機器は、１ステップだけ「ノード制御されるＴＦＣサブセット」を拡大／減少するようノードＢに要求することができる。更に、レート許可（ＲＧ）は、ノードＢからユーザ機器にダウンリンクで送られる。ＲＧにより、ノードＢは例えば、アップ／ダウンコマンドを送ることで「ノードＢ制御ＴＦＣサブセット」を変更する。新しい「ノードＢ制御ＴＦＣサブセット」は、次に更新されるまで有効である。
【００３０】
ノードＢ制御タイムアンドレートスケジューリング
ノードＢ制御タイムアンドレートスケジューリングの基本原理は、ノードＢにおける所望の総雑音上昇を超えないように、所与の時間にユーザ機器のサブセットが送信することを（理論的にのみ）可能にすることにある。１ステップだけ「ノードＢ制御ＴＦＣサブセット」を拡大／減少するためにアップ／ダウンコマンドを送る代わりに、ノードＢは例えば、ＴＦＣＳインジケータ（ポインタでもよい）を送ることで明示的なシグナリングを通じて、許可される値にトランスポートフォーマットコンビネーションサブセットを更新してもよい。
【００３１】
更に、ノードＢは、ユーザ機器が送信することが許可された開始時間および有効期間を設定してもよい。異なるユーザ機器に対する「ノードＢ制御ＴＦＣサブセット」の更新は、多数のユーザ機器からの送信が時間的に重複することを可能な程度まで回避するために、スケジューラによって調整されてもよい。ＣＤＭＡシステムのアップリンクにおいて、同時送信は常に互いと干渉し合う。従って、Ｅ−ＤＣＨ上でデータを同時に送信するユーザ機器の数を制御することで、ノードＢはセルにおけるアップリンク干渉レベルをより正確に制御することができる。ノードＢのスケジューラは、例えば、ユーザ機器のバッファ状態、ユーザ機器の電力状態、および、ノードＢにおける利用可能な全受信干渉電力（ＲｏＴ）マージン（interference Rise over Thermal margin）に基づいて、送信時間間隔（ＴＴＩ）当たりで送信することが許可されるユーザ機器、および、対応するＴＦＣＳインジケータを決定してもよい。
【００３２】
二つの新しいレイヤ１メッセージは、ノードＢ制御タイムアンドレートスケジューリングをサポートするために導入される。スケジューリング情報更新（ＳＩ）は、ユーザ機器からノードＢにアップリンクにおいて送られてもよい。ユーザ機器が、ノードＢにスケジューリング要求を送る必要性を見出すと（例えば、ユーザ機器のバッファで新しいデータが発生する）、ユーザ機器は、必要なスケジューリング情報を送信する。このスケジューリング情報を用いて、ユーザ機器は、その状態についての情報、例えば、そのバッファの占有率および利用可能な送信電力をノードＢに提供する。
【００３３】
スケジューリング割り当て（ＳＡ）は、ノードＢからユーザ機器にダウンリンクで送信される。スケジューリング要求を受信すると、ノードＢは、スケジューリング情報（ＳＩ）およびノードＢにおける利用可能なＲｏＴマージン等のパラメータに基づいてユーザ機器をスケジューリングする。ノードＢは、スケジューリング割り当て（ＳＡ）において、ユーザ機器によって使用されるべきＴＦＣＳインジケータ、後の送信の開始時間、および、有効期間をシグナリングする。
【００３４】
ノードＢ制御タイムアンドレートスケジューリングは、前述したようなレートだけ制御されるスケジューリングと比べてより正確なＲｏＴ制御を提供する。しかしながら、ノードＢにおける干渉のより正確な制御は、レート制御スケジューリングと比べて、より多くのシグナリングオーバーヘッドおよびスケジューリング遅延（スケジューリング要求およびスケジューリング割り当てメッセージ）を費やすことにより得られる。
【００３５】
図９では、ノードＢ制御タイムアンドレートスケジューリングでの一般的なスケジューリング手順を示す。ユーザ機器は、Ｅ−ＤＣＨ上でのデータの送信のためにスケジューリングされることを望むとき、まずスケジューリング要求をノードＢに送る。ここでは、Ｔｐｒｏｐは、エアインタフェース上での伝搬時間を示す。スケジューリング要求の内容物は、例えば、ユーザ機器のバッファ状態および電力状態に関する情報（スケジューリング情報）である。スケジューリング要求を受信すると、ノードＢは得られた情報を処理して、スケジューリング割り当てを決定する。スケジューリングは、処理時間Ｔｓｃｈｅｄｕｌｅを必要とする。
【００３６】
ＴＦＣＳインジケータ並びに対応する送信開始時間および有効期間を含むスケジューリング割り当ては、ユーザ機器にダウンリンクにおいて送信される。スケジューリング割り当てを受信すると、ユーザ機器は、割り当てられた送信時間間隔においてＥ−ＤＣＨ上で送信を開始する。
【００３７】
Ｅ−ＤＣＨは、ユーザ機器によるアップリンクでの他の送信の組み合わせと共存しなくてはならないため、レートスケジューリングまたはタイムアンドレートスケジューリングのいずれか一方の使用は、利用可能な電力によって制限される。異なるスケジューリングモードが共存することにより、異なるトラフィックタイプを提供する際に柔軟性を与える。例えば、ＴＣＰのＡＣＫ／ＮＡＣＫ等の少量のデータおよび／またはより高い優先度を有するトラフィックは、タイムアンドレート制御スケジューリング（time and rate control scheduling）を用いる場合と比べて、自発送信（autonomous transmissions）のレート制御モードだけを用いて送られ得る。自発送信では、より少ない待ち時間およびより少ないシグナリングオーバーヘッドを伴う。
【００３８】
Ｅ−ＤＣＨ  −  ハイブリッドＡＲＱ
ノードＢ制御ハイブリッドＡＲＱ（Node B controlled hybrid ARQ）は、誤って受信したデータパケットの高速再送を可能にする。ユーザ機器とノードＢとの間の高速再送は、上位レイヤの再送の数と関連する遅延とを減少させ、それにより、エンドユーザによって認識される品質が改善される。
【００３９】
ＨＳＰＤＡにおけるダウンリンクＨＳ−ＤＳＣＨに使用される方式と同様に、多数のストップアンドウェイト（ＳＡＷ）ハイブリッドＡＲＱ処理を有するプロトコル設定がＥ−ＤＣＨに使用されるが、アップリンクとダウンリンクとの間の差により適切な変更が必要である（3GPP TR25.896参照）。
【００４０】
ＮチャネルＳＡＷ方式は、Ｎ個の並列ＨＡＲＱ処理よりなり、各処理は、ウィンドウサイズが１の選択再送ＡＲＱ（ＳＲ）に対応するストップアンドウェィト再送プロトコルとして機能する。ユーザ機器が各送信時間間隔で単一のＨＡＲＱ処理上でデータを送信することができると仮定される。
【００４１】
図１０では、Ｎ＝３のＨＡＲＱ処理を有する典型的なＮチャネルＳＡＷプロトコルが例示される。ユーザ機器は、ノードＢにアップリンク上でＥ−ＤＣＨにおいてデータパケット１を送信している。送信は、第１のＨＡＲＱ処理で行われる。エアインタフェースの伝搬遅延Ｔｐｒｏｐの後、ノードＢはパケットを受信し、復調および復号化を開始する。復号化が成功したか否かによって、ＡＣＫ／ＮＡＣＫがユーザ機器にダウンリンクで送られる。
【００４２】
本実施例では、ノードＢはノードＢにおいて受信したパケットを復号化し処理するに必要な時間を示すＴＮＢｐｒｏｃｅｓｓ後にＡＣＫをユーザ機器に送る。ダウンリンク上のフィードバックに基づいて、ユーザ機器はデータパケットを再送するか、新規データパケットを送信するかを決定する。肯定応答（ＡＣＫ）の受信と、同じＨＡＲＱ処理における次の送信時間間隔の送信との間の、ユーザ機器に利用可能な処理時間はＴＵＥｐｒｏｃｅｓｓと称される。
【００４３】
本実施例では、ユーザ機器はＡＣＫを受信するとデータパケット４を送信する。ラウンドトリップタイム（ＲＴＴ）は、アップリンクにおけるデータパケットの送信と、当該パケットに対するＡＣＫ／ＮＡＣＫフィードバックを受信した際の当該パケットの再送または新規データパケットの送信との間の時間を示す。利用可能なＨＡＲＱ処理の欠如によるアイドリング期間を回避するために、ＨＡＲＱ処理の数ＮがＨＡＲＱラウンドトリップタイム（ＲＴＴ）と一致することが必要である。
【００４４】
既知のおよび未知の送信タイミングを考慮して、同期および非同期のデータ送信が区別される。非同期データ送信を伴う再送プロトコルでは、データブロックまたはＨＡＲＱ処理を識別するために明示的なシグナリングが用いられ、同期データ送信を伴うプロトコルでは、データブロックまたはＨＡＲＱ処理はデータブロックが受信された時点に基づいて識別される。
【００４５】
ＵＥは、例えば、再送の場合にデータパケットの正しい軟合成（soft combining）を確実にするために非同期送信のプロトコルにおいて明示的にＨＡＲＱ処理数をシグナリングしなくてはならない。非同期データ送信のＨＡＲＱ再送プロトコルの利点は、システムに与えられる柔軟性である。ノードＢのスケジューラは、例えば、セルにおける干渉状況、更に、対応するＥ−ＤＣＨサービスの優先度またはＱｏＳパラメータ等のパラメータに基づいて、Ｅ−ＤＣＨ上でのデータ送信の期間およびＨＡＲＱ処理をＵＥに割り当てる。
【００４６】
非同期ＨＡＲＱフィードバック情報を有する再送プロトコルは、シーケンス番号（ＳＮ）またはフィードバックメッセージの他の明示的な識別を用い、同期ＨＡＲＱフィードバック情報を有するプロトコルは、例えばＨＳＰＤＡのように、受信される時間に基づいてフィードバックメッセージを識別する。フィードバックは、ＨＳ−ＤＳＣＨを受信した一定時間後にＨＳ−ＤＰＣＣＨで送られてもよい（http://www.3gpp.orgから入手可能な非特許文献６参照）。
【００４７】
無線ベアラ設定  −  無線ベアラ確立
どの送信を始める前にも、ＵＭＴＳにおけるデータチャネル、例えば、無線ベアラが確立され、全てのレイヤがそれに応じて構成されなくてはならない。無線ベアラを確立する手順は、無線ベアラと個別トランスポートチャネルとの間の関係に応じて変わる。サービス品質（ＱｏＳ）パラメータに依存して、無線ベアラ（ＲＢ）と関連付けられる恒久的に割り当てられた個別チャネルが存在してもしなくてもよい。
【００４８】
無線ベアラ設定  −  個別物理チャネルアクティブ化を伴う無線ベアラ確立
ＵＭＴＳでは、図１２に示す手順が、無線ベアラのために新しい物理チャネルが形成される必要がある場合に適用される。無線ベアラの確立は、ＲＢ確立要求プリミティブがＲＲＣレイヤのネットワーク側で上位レイヤのサービスアクセスポイントから受信されると開始される。このプリミティブは、ベアラ基準（bearer reference）とＱｏＳパラメータとを含む。ＱｏＳパラメータに基づいて、レイヤ１およびレイヤ２のパラメータがネットワーク側のＲＲＣエンティティによって選択される。
【００４９】
ネットワーク側での物理レイヤ処理は、全ての適用可能なノードＢに発せられるＣＰＨＹ−ＲＬ−セットアップ要求プリミティブで開始される。意図するいずれの受信者もサービスを提供することができない場合、確認プリミティブでその旨が示される。ノードＢにおける送信および受信の開始を含み、レイヤ１をセットアップした後、ＮＷ−ＲＲＣはそのピアエンティティ（ネットワーク（ＮＷ）により任意に応答されまたは応答されない送信）に無線ベアラセットアップメッセージを送る。このメッセージは、レイヤ１、ＭＡＣおよびＲＬＣのパラメータを備える。メッセージを受信した後、ユーザ機器−ＲＲＣがレイヤ１およびＭＡＣを構成する。
【００５０】
レイヤ１同期が表示されると、ユーザ機器はネットワークに応答モード（acknowledged-mode）で無線ベアラセットアップ完了メッセージを送信する。ＮＷ−ＲＲＣは、ネットワーク側でＭＡＣおよびＲＬＣを構成する。
【００５１】
無線ベアラセットアップ完了の確認を受信すると、ユーザ機器−ＲＲＣは新しい無線ベアラと関連付けられる新しいＲＬＣエンティティを作成する。ＲＬＣ確立の適用可能な方法は、ＲＬＣ転送モードに依存する。ＲＬＣ接続は、暗示的に確立されてもよく、あるいは、明示的シグナリングが適用されてもよい。最後に、ＲＢ確立表示プリミティブがユーザ機器−ＲＲＣによって送られ、ＲＢ確立確認が送られる。
【００５２】
前述の通り、非同期データ送信の再送プロトコルはノードＢに対してより多くのスケジューリング柔軟性を可能にさせる。スケジューリング割り当ては、例えば、ユーザ機器から送られるスケジューリング情報、および、セルにおける干渉状況に基づくことができる。
【００５３】
しかしながら、再送が非同期に行われる場合には不都合な点が生ずる。Ｅ−ＤＣＨでの送信がタイムアンドレート制御スケジューリングモード（time and rate controlled scheduling mode）で行われる場合、再送もスケジューリングされる。つまり、再送は、全ての他の送信、例えば、初回送信と同様に扱われなくてはならない。ユーザ機器はまずノードＢにスケジューリング要求を送らなくてはならない。スケジューリング要求内に含まれるスケジューリング情報（ＳＩ）を受信すると、受信したノードＢはユーザ機器に送信リソースを割り当てる。
【００５４】
スケジューリング割り当て（ＳＡ）メッセージを用いて、ノードＢは、ユーザ機器によって再送に使用されるべきＴＦＣＳインジケータ並びに後続の送信開始時間および有効期間をシグナリングする。再送のスケジューリングは、初回送信について図９に既に示したスケジューリング遅延を伴う。
【００５５】
更に、再送のスケジューリング柔軟性も、パケットの初回送信と同様に、追加的なシグナリング（スケジューリング要求メッセージおよびスケジューリング割り当てメッセージ）を費やすことにより得られる。
【００５６】
再送がスケジューリングされた場合に生ずる別の問題は、再送が必ずしも優先されない点である。保留中の再送にリソースを割り当てる代わりに、ノードＢのスケジューラは、他のユーザ機器にデータパケットの初回送信を送ることを許可してもよい。それにより、再送のために保留にされているデータの遅延が増大する。この問題は、増大した遅延によって影響を及ぼされるものが保留中の再送だけでない場合には、より深刻である。例えば、以下に示すように再送が遅延された場合にエンドユーザの性能は影響を及ぼされる。
【００５７】
データパケットが受信側で上位レイヤに順番通りに運ばれないとならないため（ＲＬＣレイヤへのパケットの運搬は順序通りでなくてはならない）、受信側で既に正しく復号化されているデータパケットは、より小さいシーケンス番号を有するデータパケットがＨＡＲＱエンティティでまだ保留されている限り並べ替えバッファから解放されない。
【００５８】
他のユーザ機器が代わりに初回送信のためにスケジューリングされていることにより小さいシーケンス番号を有するデータパケットの再送が遅延されている場合、エンドユーザ性能は結果として増大した遅延により影響を及ぼされる。
【非特許文献１】D. Chase, "Code combining: A maximum-likelihood decoding approach for combining an arbitrary number of noisy packets", IEEE Transactions on Communicatios, Col. COM-33, pages 385 to 393, May 1985
【非特許文献２】3GPP TR25.401: "UTRAN Overall Description"
【非特許文献３】3GPP TR25.896: "Feasiblity Study for Enhanced Uplink for UTRA FDD Release 6)"
【非特許文献４】3GPP TSG RAN WG1, meeting #31, Tdoc R01-030284, "Scheduled and Autonomous Mode Operation for the Enhanced Uplink"
【非特許文献５】3GPP TSG RAN WG1, meeting #31, "HARQ Structure", Tdoc R1-030247
【非特許文献６】3GPP TR25.848: "Physical Layer Aspects of High Speed Downlink Packet Access", version 5.0.0
【発明の開示】
【００５９】
本発明は、上述の問題を少なくとも一つ克服する、データパケットの軟合成を用いる新しいＨＡＲＱ方式を提供することを目的とする。
【００６０】
この目的は、独立請求項の主題によって解決される。本発明の好ましい実施の形態は従属請求項の主題である。
【００６１】
第１の実施の形態によると、本発明は、データチャネルを介して送信エンティティから受信エンティティにデータパケットを送信するハイブリッド自動再送要求（ＨＡＲＱ）方法を提供する。送信エンティティは、受信エンティティからフィードバックメッセージを受信することができる。フィードバックメッセージは、受信エンティティによるデータパケットの受信が成功したか否かを示すことができる。
【００６２】
フィードバックメッセージが、データパケットの受信が成功していないことを示す場合、フィードバックメッセージを受信してから所定タイムスパン後に再送データパケットを受信エンティティに送信することができ、受信エンティティは先に受信したデータパケットとの再送データパケットの軟合成を実行することができる。提案されるＨＡＲＱプロトコルが、ダウンリンク（基地局／ノードＢから移動局／ＵＥ）にもアップリンク（移動局／ＵＥから基地局／ノードＢ）にも用いられるよう適用可能であることに留意すべきである。
【００６３】
再送データパケットは、送信時間間隔の始めに送信されてもよく、即ち、所定タイムスパンの持続時間はその終わりが送信時間間隔の始まりと一致するよう選択される。
【００６４】
更に、所定タイムスパンは、フィードバックメッセージを処理するのに必要な処理時間以上となるよう選択されてもよい。従って、再送データを送る前にフィードバックメッセージの処理を実行できることが確実になる。
【００６５】
更なる実施の形態によると、データ送信のエアインタフェースリソースを制御するスケジューリングエンティティは、エアインタフェース上で所定タイムスパン後に再送データパケットを送信するためのリソースを確保することができる。
【００６６】
更に、本発明の別の実施の形態によると、送信エンティティは、送信エンティティに割り当てられたリソースが、送信時間間隔において所定タイムスパン後に再送データパケットを送信し同じ送信時間間隔において送信保留中の他のデータを送信するのに十分か否かを判定することができる。送信保留中データは、再送データパケットよりも高い送信優先度を有することができる。後者の場合でリソースが十分でないときは、送信保留中データを送信時間間隔で送信することができ、再送データパケットの送信を後の送信時間間隔に延期することができる。
【００６７】
送信エンティティに割り当てられるリソースは、例えば、送信エンティティに割り当てられるトランスポートフォーマットコンビネーション（ＴＦＣ）、即ち、トランスポートフォーマットコンビネーションセット（ＴＦＣＳ）でよい。
【００６８】
別の実施の形態では、送信エンティティは、所定タイムスパン後の再送データパケットと、送信保留中データとを同時に送信するのに必要な送信電力が、送信エンティティに割り当てられた最大送信電力より低いか否かを判定することができる。本実施の形態では、送信保留中データは、再送データパケットよりも高い送信優先度を有することができる。
【００６９】
送信保留中データ、および所定タイムスパン後の再送データパケットは、必要な送信電力が割り当てられた最大送信電力よりも大きい場合、割り当てられた最大送信電力を用いて送信することができる。
【００７０】
更なる実施の形態では、再送データパケットを、そのトランスポートフォーマット（ＴＦ）に必要なレベルよりも低い電力レベルで送信することができる。
【００７１】
更なる実施の形態によると、所定タイムスパン後の再送データパケットと、送信保留中データとを同時に送信するのに必要な送信電力が割り当てられた最大送信電力よりも大きい場合、送信保留中データを送信することができ、所定タイムスパン後の再送データパケットの送信を中止することができる。
【００７２】
別の実施の形態によると、データ送信はタイムアンドレート制御スケジューリングモードで実行される。本実施の形態では、送信が中止された再送データパケットを送信するリソースを要求するために、スケジューリング要求メッセージを送信エンティティからスケジューリングエンティティに送信することができる。
【００７３】
更なる実施の形態では、データ送信はタイムアンドレート制御スケジューリングモードで実行される。本実施の形態では、所定タイムスパン後の再送データパケットが受信されない場合、受信エンティティは送信エンティティからのスケジューリング要求メッセージを予期することができ、送信エンティティにフィードバックメッセージが送信されるデータパケットを一時的に記憶するバッファの内容物を保持することができる。
【００７４】
データ送信がレート制御スケジューリングモード（rate controlled scheduling mode）で実行されかつ所定タイムスパン後の再送データパケットを送信できなかった本発明の別の実施の形態によると、再送データパケットを、所定タイムスパンの経過後の時点に送信することができる。
【００７５】
この場合、所定タイムスパン後の再送データパケットが受信されない場合、受信エンティティは、送信エンティティからの再送データパケットを予期することができ、送信エンティティにフィードバックメッセージが送信されるデータパケットを一時的に記憶するバッファの内容物を保持することができる。従って、受信エンティティのソフトバッファは消去されず、その中のデータは軟合成用に保持される。
【００７６】
更なる実施の形態では、データ送信は、拡張アップリンク個別トランスポートチャネルＥ−ＤＣＨ上で行われる。
【００７７】
本発明の更なる実施の形態によると、移動局と基地局とを備える移動体無線通信システムにおいてデータパケットの軟合成を適用するＨＡＲＱ再送プロトコルを用いて基地局にデータパケットを送信する移動局が提供される。移動局は、受信エンティティによってデータパケットの受信が成功したか否かを示す受信エンティティからのフィードバックメッセージを送信エンティティで受信する受信手段と、データパケットの受信が成功しなかったことをフィードバックメッセージが示す場合に、フィードバックメッセージを受信してから所定タイムスパン後に再送データパケットを送信する送信手段とを備える。
【００７８】
更に、移動局は、上述のハイブリッド自動再生要求方法を実行するように特別に構成される。後者の場合、送信エンティティは移動局に相当し、受信エンティティは基地局に相当する。
【００７９】
本発明の別の実施の形態は、移動局と基地局とを備える移動体無線通信システムにおいてデータパケットの軟合成を適用するＨＡＲＱ再送プロトコルを用いて基地局にデータパケットを送信する移動局を提供する。本実施の形態では、移動局は制御メッセージ内の再送モードインジケータを受信する受信手段を備えることができ、再送モードインジケータは、上述のＨＡＲＱ方法に従ってパケット再送方法を実行するか否か、または、別のハイブリッド自動再生要求方法を実行するか否かを示す。更に、移動局は、再送モードインジケータによって示されるパケット再送モードに従ってパケット再送を実行する送信手段を備える。
【００８０】
本発明の実施の形態では、制御メッセージは、無線ベアラセットアップメッセージである。制御メッセージは、無線リソース（ＲＲＣ）制御メッセージでもよい。
【００８１】
本発明の更なる実施の形態によると、受信手段は、確立されたデータチャネルの制御メッセージを受信するよう構成される。移動局は、再送モードインジケータに従って送信手段のパケット再送モードを切り換える切り換え手段を更に備えることができる。
【００８２】
本発明の好ましい実施の形態では、制御メッセージは、データチャネル、即ち、無線ベアラを構成する無線ベアラ再設定メッセージである。また、制御メッセージは、無線リソース（ＲＲＣ）制御メッセージでもよい。
【００８３】
本発明の別の実施の形態によると、データパケットの再送が実行される、即ち、上述のＨＡＲＱ方法またはその別のバージョンを用いるモードの明示的なシグナリングがない。本実施の形態では、送信手段は、データ送信に用いられるスケジューリングモードに応答して異なるハイブリッド自動再生要求方法の一つを実行するよう構成される。それにより、例えば、タイムアンドレート制御スケジューリングモードまたはレート制御スケジューリングモードにおいてスケジューリングを実行するスケジューリングモードは、適切なＨＡＲＱ再送方法の使用を判定するために使用されてもよい。
【００８４】
本発明の別の実施の形態は、移動局と基地局とを備える移動体無線通信システムにおいてデータパケットの軟合成を適用するＨＡＲＱ再送プロトコルを用いて移動局にデータパケットを送信する基地局を提供する。移動局は、受信エンティティによってデータパケットの受信が成功したか否かを示す受信エンティティからのフィードバックメッセージを送信エンティティで受信する受信手段と、データパケットの受信が成功しなかったことをフィードバックメッセージが示す場合に、フィードバックメッセージを受信してから所定タイムスパン後に再送データパケットを送信する送信手段とを備える。
【００８５】
更に、基地局は、上述のハイブリッド自動再生要求方法を実行するように特別に構成される。後者の場合、送信エンティティは基地局に相当し、受信エンティティは移動局に相当する。
【００８６】
上述の移動局について、基地局における送信手段は、データ送信に使用されるスケジューリングモードに応答して異なるハイブリッド自動再生方法の一つを実行するよう構成されてよい。
【００８７】
更に、本発明は、移動局と無線ネットワーク制御装置とを備える移動体無線通信システムにおいて移動局によるデータ送信に使用されるＨＡＲＱ再送プロトコルのパラメータを構成する無線ネットワーク制御装置を別の実施の形態で提供する。無線ネットワーク制御装置は、移動局に制御メッセージにおいて再送モードインジケータを送信する送信手段を備えることができ、再送モードインジケータは、上述の方法に従ってハイブリッド自動再生要求プロトコルを実行するか否か、または、別のハイブリッド自動再生要求方法を実行するか否かを示す。
【００８８】
更に、本発明の別の実施の形態は、本発明による移動局と基地局とを備える通信システムを提供する。通信システムは、上述の無線ネットワーク制御装置を更に備える。
【発明を実施するための最良の形態】
【００８９】
以下では、本発明を添付の図面を参照してより詳細に説明する。図中、同様のまたは対応する細部には同じ参照番号が付与される。
【００９０】
本発明の一態様は、パケット再送の同期送信タイミングの導入である。先に誤って受信したデータパケットの再送は、受信器から否定応答を受信してから所定タイムスパン後に送信することができる。
【００９１】
受信データパケットの復号化が成功しなかった場合、ノードＢはダウンリンクにおいてユーザ機器に否定応答（ＮＡＣＫ）を送信することができる。再送が所定の時点で送られるため、ノードＢは、Ｅ−ＤＣＨ上での送信がタイムアンドレート制御スケジューリングモードで行われる場合にも再送をスケジューリングする必要がない。それにより、ユーザ機器にスケジューリング割り当てメッセージを送信する必要がない。更に、ノードＢはユーザ機器から再送が送られる時刻を認識しているため、再送データパケットの送信のためのリソースを確保することができる。再送タイミングの認識は、他のユーザ機器のスケジューリングのために考慮され、即ち、スケジューラは、例えば、多数の再送が予期される場合に他のユーザ機器のデータパケット初回送信の量を減少させるように判断することができる。
【００９２】
ユーザ機器で否定応答を受信すると、誤ったデータパケットに対する再送データパケットが、所定タイムスパン後、即ち、否定応答の受信時間に対する所定の時点で送信される。図１１には、Ｅ−ＤＣＨを用いる同期再送を伴うタイムアンドレート制御スケジューリングモードでのデータ送信が示される。否定応答を受信してから所定タイムスパン後（図中でＴｓｙｎｃと称される）に再送を送ることができる。ユーザ機器は、再送のスケジューリング要求を送信する必要がなく、ノードＢから送信されるスケジューリング割り当てメッセージのスケジューリング関連制御チャネル（scheduling related control channel）を監視する必要もない。
【００９３】
タイムアンドレート制御スケジューリングモードでＥ−ＤＣＨ送信が行われる場合に同期再送によって得られる、シグナリングオーバーヘッド（スケジューリング要求、スケジューリング割り当て）および遅延の削減といった利点の他に、レート制御スケジューリングモードに対しても同期再送の利点を得ることができる。
【００９４】
このスケジューリングモードでは、送信タイミングは、ユーザ機器によって自発的に選択することができる。それにより、ノードＢのスケジューラは、データがＥ−ＤＣＨ上で送信される時間を認識しない場合がある。本発明の一実施の形態によると、再送データパケットは、ノードＢのスケジューラが再送データパケットの送信タイミングを少なくとも認識するよう、否定応答を受信した後のＴｓｙｎｃに再送データパケットが送信される。従って、再送のリソースを確保することができ、それにより、セルにおけるアップリンク干渉に対してより正確な制御を得ることができる。
【００９５】
再送の他にユーザ機器において送信保留中の論理チャネルの他のデータが存在し、「ノードＢ制御ＴＦＣサブセット」（図８参照）における最大トランスポートフォーマットコンビネーションが再送および保留中のデータを同時に送るのに十分でない場合、送信保留中データおよび再送データパケットが論理チャネルの優先度に応じて送信される。保留中のデータパケットが、例えば、再送よりも高い論理チャネルの優先度を有する場合、ユーザ機器は保留中のデータパケットを送信し、再送を中止することができる。更に、ユーザ機器は、後の時点において再送データパケットを送ってもよい。
【００９６】
従って、本発明の本実施の形態では、送信保留中データおよび再送データパケットの同時送信は、ユーザ機器において利用可能な十分なリソースがない場合は可能ではない。例えば、同時送信を可能にするトランスポートフォーマットコンビネーションがユーザ機器のＴＦＣＳにおいて利用可能でない。
【００９７】
本発明の別の実施の形態は、アップリンクにおける電力制限により、所与の送信時間間隔内での再送データパケットの送信に使用され得る電力が、例えば、同時のより高い優先度のリアルタイムサービスにより十分でない状況に関連する。このような場合においても同期して再送を送るためには、ユーザ機器は、残留電力だけを再送に使用することができる。従って、再送の信頼性は、送信電力の低減により減少される。しかしながら、再送とそのデータパケットの先に記憶された送信との軟合成が復号化前に行われるため、復号化の成功がまだ可能である。
【００９８】
本発明の一つの典型的な実施の形態によると、Ｅ−ＤＣＨ上でのデータ送信に対するＴＦＣ選択がユーザ機器のＭＡＣ−ｅエンティティであり、リリース９９／５ＤＣＨチャネルに対するＴＦＣ選択がＭＡＣ−ｄエンティティであると仮定することができる。ユーザ機器でのＴＦＣ選択は、論理チャネルの優先度に応じて実行することができる。優先度の高いデータには、例えば、高い送信電力を必要とするトランスポートフォーマットを割り当てることができ、優先度の低いデータには低い送信電力レベルを必要とするトランスポートフォーマットが割り当てられる。優先度はＲＲＣシグナリングを用いて示すことができる。
【００９９】
従って、電力リソースは、論理チャネルの優先度に従って、ＭＡＣ−ｄにおけるＴＦＣ選択に対して、および、ＭＡＣ−ｅにおけるＴＦＣ選択に対して割り当てることができる。所与のＴＦＣに対する、物理レイヤによって実行されるユーザ機器の送信電力推定は、一つのスロットの測定期間にわたる送信電力、および、対応するＴＦＣの利得係数を測定することで得ることができる。残留電力、即ち、ユーザ機器が送信に使用する最大電力と、再送データパケットと同じ送信時間間隔における送信保留中データの送信にＴＦＣによって要求される電力との差が再送データパケットの必要なトランスポートフォーマットをサポートするのに十分でない場合でも再送を行うためには、Ｅ−ＤＣＨ送信（Ｅ−ＤＰＤＣＨ）に使用される物理チャネルに適用される利得係数を操作することができる。
【０１００】
再送データパケットのトランスポートフォーマットに対する操作された利得係数を用いて、送信保留中データおよび再送データパケットに対して所望のＴＦＣをサポートするのに必要な総電力の計算の結果が、ＴＦＣの使用を可能にする値となる、即ち、ユーザ機器が使用できる最大送信電力よりも低くなることが実現される。この利得係数は、残留電力が再送トランスポートフォーマットのサポートに、従ってＴＦＣの使用に十分となるまで逐次減少される。
【０１０１】
測定および計算のために操作された利得係数を物理レイヤが使用することを可能にするために、利得係数の操作は、ＭＡＣサブレイヤから物理レイヤにシグナリングされるプリミティブによって示すことができる。物理レイヤは、例えば、適切な利得係数を決定することができる。
【０１０２】
代替的には、ユーザ機器は再送を中止して、後の時点でそれを送ることができる。後者の場合で、データ送信がタイムアンドレート制御スケジューリングモードで実行されるときは、ユーザ機器は再送を中止し、ユーザ機器の電力の状況が許すようになると直ぐに、データパケットの送信のスケジューリング要求を送ることができる。データパケットは、初回送信のように扱われるべきであり、ノードＢからスケジューリングされるべきである。レート制御スケジューリングモードの場合、ユーザ機器は、否定応答を受信してから所定タイムスパン後の再送を中止することができ、ユーザ機器の電力の状況が許すようになると直ぐに自発的にデータパケットを送信することができる。ノードＢは、一旦ユーザ機器に否定応答を送ると、所定の固定の遅延後の当該データパケットの再送を予期する。当該時点で再送が受信されない場合、ノードＢはソフトバッファを消去（flush）することができず、タイムアンドレート制御スケジューリングモードでスケジューリングが実行される場合には当該データパケットのスケジューリング要求を、または、レート制御スケジューリングモードでスケジューリングが実行される場合には後の時点での当該パケットの再送を待つ。
【０１０３】
否定応答と再送との間の相対的なタイミングは図１３に示される。時間オフセットＴｓｙｎｃは、例えば、ＨＳ−ＤＳＣＨとＨＳ−ＤＰＣＣＨとの間の時間オフセット等のように固定の時間量である。しかしこの場合、異なるユーザのＥ−ＤＣＨでのフレーム同期はない。
【０１０４】
代替的には、ユーザ機器での否定応答の処理を可能にするために、フィードバックメッセージ（ＮＡＣＫ）のスロットの終わりと再送の始まりとの間の時間が少なくとも最小であることを条件として、ユーザ機器は、否定応答を受信した後の最初の送信時間間隔において再送を送ることができる。この場合、Ｔｓｙｎｃは、再送がフレーム境界の始まりで送信されると仮定すると、一つの送信時間間隔の長さの範囲内で可変である。これにより、Ｅ−ＤＣＨのフレーム設定に合わせて再送が送られることを確実にすることができる。従って、これらのユーザ機器に対して、Ｅ−ＤＣＨ送信を同期させることができる。ノードＢは、データパケットの再送が送られるときの送信時間間隔を認識している。
【０１０５】
どの送信を開始する前にも、無線ベアラが確立されなくてはならず、全てのレイヤがそれに応じて構成されなくてはならない。無線ベアラの確立手順を、一つ以上の新しい無線ベアラを確立するために使用することができる。この手順は、使用するＨＡＲＱ再送プロトコルタイプを示す、例えば、本発明により提案されるＨＡＲＱプロトコルを使用するか否か、または、別のＨＡＲＱプロコルを使用するか否かを示す再送タイプインジケータがＲＮＣとＵＥとの間のシグナリングに含まれるよう修正されてもよい。アプリケーション／サービスのＱｏＳパラメータに基づいて、無線リソース制御は、アプリケーション／サービスのデータを運ぶのに最適な無線ベアラパラメータを決定することができる。
【０１０６】
Ｅ−ＤＣＨ上で送信されるサービスに依存して、同期して再送を送ることが幾分有利である。高データレートのＥ−ＤＣＨ送信を必要とするサービスでは、例えば、同期して再送を送ることは有利となり得る。しかしながら、幾つかの他のサービスでは、同期せずに再送を送ることが更に有利となり得る。
【０１０７】
Ｅ−ＤＣＨ上で送信されるべきサービスに依存して、ＲＲＣは、再送が同期して行われるべきか同期せずに行われるべきかを定めることができる。再送モードは、無線ベアラの確立手順中に設定される無線ベアラパラメータでもよい。より一般的には、再送タイプインジケータが、移動局に送られる制御メッセージに含まれてもよい。再送タイプインジケータは、データ送信に用いるべき適切なＨＡＲＱ方式を示してもよい。
【０１０８】
アクティブ接続中に無線ベアラ特性を変更することも可能である。無線ベアラ再設定手順が無線ベアラのパラメータを再設定するために使用されてもよい。それにより、アクティブ接続の再送モードを必要に応じて変更することができる。無線ベアラ再設定手順、および無線ベアラセットアップ手順は、使用すべき適切なパケット再送方式を示すよう、例えば、同期または非同期再送のいずれかを提供するＨＡＲＱプロトコルを用いることを示すよう構成されなくてはならない。
【０１０９】
本発明の別の実施の形態によると、再送タイプインジケータを用いて再送モードを定める代わりに、Ｅ−ＤＣＨ再送に使用されるスケジューリングモードに応じて再送モードを設定することができる。同期再送タイミングを有するＨＡＲＱプロトコルは、タイムアンドレート制御スケジューリングモードでのＥ−ＤＣＨ送信に対するスケジューリングされた再送を伴うＨＡＲＱプロトコルと比べて、シグナリングオーバーヘッド（スケジューリング要求およびスケジューリング割り当てメッセージ）の減少および遅延の減少といった利点を有することができる。更に、再送が常に優先されてもよい。
【０１１０】
本発明の別の実施の形態によると、タイムアンドレート制御スケジューリングモードの場合に再送を同期して送ることができる。レート制御スケジューリングモードでは送信において同期再送の利点がそれほど顕著でないことがあるため、レート制御スケジューリングモードではＥ−ＤＣＨ送信において再送を同期せずに送ることができる。
【０１１１】
Ｅ−ＤＣＨを用いるアップリンクデータ送信について主に説明したが、ここに記載した原理が個別ダウンリンクデータチャネル上でのデータ送信にも適用可能であることは理解されるであろう。
【図面の簡単な説明】
【０１１２】
【図１】ＵＭＴＳの高レベル構成を示す図
【図２】ＵＭＴＳ  Ｒ９９／４／５によるＵＴＲＡＮの構成を示す図
【図３】ドリフト無線サブシステムおよびサービング無線サブシステムを示す図
【図４】ユーザ機器におけるＥ−ＤＣＨ  ＭＡＣ構成を示す図
【図５】ユーザ機器におけるＭＡＣ−ｅｕを示す図
【図６】ノードＢにおけるＭＡＣ−ｅｕ構成を示す図
【図７】ＲＮＣにおけるＭＡＣ−ｅｕを示す図
【図８】ノードＢ制御スケジューリングのトランスポートフォーマットコンビネーションセットを示す図
【図９】タイムアンドレート制御スケジューリングモードの動作を示す図
【図１０】３チャネルのストップアンドウェイトＨＡＲＱプロトコルの動作を示す図
【図１１】本発明の実施の形態による同期再送を伴うＨＡＲＱ再送プロトコルの動作を示す図
【図１２】個別物理チャネルアクティブ化を含む無線ベアラの確立を示す図
【図１３】本発明の実施の形態による、否定応答と再送データパケット送信との間のタイミングの関係を示す図
【図１】
2007517431.tif 000003
【図２】
2007517431.tif 000004
【図３】
2007517431.tif 000005
【図４】
2007517431.tif 000006
【図５】
2007517431.tif 000007
【図６】
2007517431.tif 000008
【図７】
2007517431.tif 000009
【図８】
2007517431.tif 000010
【図９】
2007517431.tif 000011
【図１０】
2007517431.tif 000012
【図１１】
2007517431.tif 000013
【図１２】
2007517431.tif 000014
【図１３】
2007517431.tif 000015
【手続補正書】
【提出日】平成18年11月6日(2006.11.6)
【手続補正１】
【補正対象書類名】特許請求の範囲
【補正対象項目名】全文
【補正方法】変更
【補正の内容】
【特許請求の範囲】
【請求項１】
移動局と基地局とを有する無線通信システムにおいてＨＡＲＱ再送プロトコルを用いて前記基地局にデータパケットを送信する、前記移動局により実行される方法であって、
前記基地局にデータパケットを送信するステップと、
前記基地局が前記データパケットの復号化に成功したか否かを示すフィードバックメッセージを、前記基地局から受信するステップと、
前記フィードバックメッセージが、前記データパケットの復号化の成功を示していない場合であって、前記フィードバックメッセージの受信から所定の期間後の再送データパケットと、前記再送データパケットのデータよりも高い論理チャネル優先度を有する他のデータとを送信するのに必要な送信電力が、前記移動局により使用可能な最大送信電力よりも大きい場合に、前記最大送信電力を用いて、同じ送信時間間隔内で、前記再送データパケットと前記他のデータとを送信するステップと、
を有する方法。
【請求項２】
前記再送データパケットは、そのトランスポートフォーマットに必要なレベルよりも低い電力レベルで送信される、請求項１記載の方法。
【請求項３】
前記再送データパケットと前記他のデータとを前記同じ送信時間間隔内で送信するのに必要な前記送信電力が前記最大送信電力を超過する場合に、前記再送データパケットの送信に使用される物理チャネルの利得係数を低減するステップをさらに有する、請求項１記載の方法。
【請求項４】
前記再送データパケットを送信するステップにおいて、前記再送データパケットは、低減された利得係数を用いて前記物理チャネルを介して送信される、請求項３記載の方法。
【請求項５】
低減された利得係数は、前記再送データパケットの送信と前記他のデータの送信とに必要な合計送信電力が前記最大送信電力と等しくなるような値に、前記再送データパケットを送信するのに必要な送信電力を低減する、請求項４記載の方法。
【請求項６】
低減された利得係数は、物理レイヤにより決定される、請求項３記載の方法。
【請求項７】
前記移動局のＭＡＣ−ｄエンティティにより、データ送信のためのトランスポートフォーマットコンビネーション選択を行うステップと、
続いて、前記移動局のＭＡＣ−ｅエンティティにより、データチャネルでのデータパケット送信のためのトランスポートフォーマットコンビネーション選択を行うステップと、
をさらに有する、請求項１記載の方法。
【請求項８】
前記ＭＡＣ−ｅエンティティによるトランスポートフォーマットコンビネーション選択は、前記ＭＡＣ−ｄエンティティによるトランスポートフォーマットコンビネーション選択の実行後に残留する、前記移動局が送信時間間隔において使用可能な残留送信電力を考慮する、請求項１記載の方法。
【請求項９】
前記ＭＡＣ−ｅエンティティによるトランスポートフォーマットコンビネーション選択は、ＲＲＣシグナリングにより示された論理チャネル優先度に従って行われる、請求項７記載の方法。
【請求項１０】
前記再送データパケットは、送信時間間隔の始めに送信される、請求項１記載の方法。
【請求項１１】
前記所定の期間は、前記フィードバックメッセージを処理するのに必要な処理時間以上である、請求項１記載の方法。
【請求項１２】
前記移動局に割り当てられたリソースが、前記同じ送信時間間隔内での前記再送データパケットと前記他のデータとを送信するのに十分であるか否かを判定するステップと、
十分でない場合に、前記送信時間間隔内で前記他のデータを送信して、前記再送データパケットの送信を後の送信時間間隔に延期するステップと、
をさらに有する、請求項１記載の方法。
【請求項１３】
データ送信は、拡張アップリンクトランスポートチャネルで行われる、請求項１記載の方法。
【請求項１４】
移動局と基地局とを有する無線通信システムにおいてＨＡＲＱ再送プロトコルを用いて前記基地局にデータパケットを送信する移動局であって、
前記基地局にデータパケットを送信する送信器と、
前記基地局が前記データパケットの復号化に成功したか否かを示すフィードバックメッセージを、前記基地局から受信する受信器と、を有し、
前記送信器は、前記フィードバックメッセージが、前記データパケットの復号化の成功を示していない場合であって、前記フィードバックメッセージの受信から所定の期間後の再送データパケットと、前記再送データパケットのデータよりも高い論理チャネル優先度を有する他のデータとを送信するのに必要な送信電力が、前記移動局により使用可能な最大送信電力よりも大きい場合に、前記最大送信電力を用いて、同じ送信時間間隔内で、前記再送データパケットと前記他のデータとを送信する、移動局。
【請求項１５】
前記送信器は、前記再送データパケットを、そのトランスポートフォーマットに必要なレベルよりも低い電力レベルで送信する、請求項１４記載の移動局。
【請求項１６】
前記再送データパケットと前記他のデータとを前記同じ送信時間間隔内で送信するのに必要な前記送信電力が前記最大送信電力を超過する場合に、前記再送データパケットの送信に使用される物理チャネルの利得係数を低減する調整器をさらに有する、請求項１４記載の移動局。
【請求項１７】
前記送信器は、前記再送データパケットを、低減された利得係数を用いて前記物理チャネルを介して送信する、請求項１６記載の移動局。
【請求項１８】
低減された利得係数は、前記再送データパケットの送信と前記他のデータの送信とに必要な合計送信電力が前記最大送信電力と等しくなるような値に、前記再送データパケットを送信するのに必要な送信電力を低減する、請求項１７記載の移動局。
【請求項１９】
低減された利得係数は、前記移動局の物理レイヤにより決定される、請求項１４記載の移動局。
【請求項２０】
データ送信のためのトランスポートフォーマットコンビネーション選択を行うＭＡＣ−ｄエンティティと、
データチャネルでのデータパケット送信のためのトランスポートフォーマットコンビネーション選択を続いて行うＭＡＣ−ｅエンティティと、
をさらに有する、請求項１４記載の移動局。
【請求項２１】
前記ＭＡＣ−ｅエンティティは、トランスポートフォーマットコンビネーション選択を行う場合に、前記ＭＡＣ−ｄエンティティによるトランスポートフォーマットコンビネーション選択の実行後に残留する、前記送信器が送信時間間隔において使用可能な残留送信電力を考慮する、請求項２０記載の移動局。
【請求項２２】
前記ＭＡＣ−ｅエンティティは、ＲＲＣシグナリングにより示された論理チャネル優先度に従って、トランスポートフォーマットコンビネーション選択を行う、請求項２０記載の移動局。
【請求項２３】
前記送信器は、データ送信に用いられるスケジューリングモードに応じて、複数のハイブリッド自動再送要求方式のいずれかを行う、請求項１４記載の移動局。
【請求項２４】
移動局と基地局とを有する無線通信システムにおいて前記移動局によりデータ送信に用いられるＨＡＲＱ再送プロトコルのパラメータを設定する無線ネットワーク制御装置であって、
請求項１記載の方法を実行するか否か、またはそれと異なるハイブリッド自動再送要求方法を実行するか否かを示す再送モードインジケータを制御メッセージにおいて前記移動局へ送信する送信器を有する、無線ネットワーク制御装置。
【請求項２５】
請求項１４記載の移動局を有し、
アップリンク通信チャネルを介して前記移動局から基地局にデータパケットを送信するＨＡＲＱ再送プロトコルを実行する、無線通信システム。
【請求項２６】
請求項２４記載の無線ネットワーク制御装置をさらに有する、請求項２５記載の無線通信システム。
【手続補正３】
【補正対象書類名】明細書
【補正対象項目名】０００１
【補正方法】変更
【補正の内容】
【０００１】
本発明は、データパケット送信方法、移動局、無線ネットワーク制御装置、および無線通信システムに関する。
【手続補正４】
【補正対象書類名】明細書
【補正対象項目名】００６１
【補正方法】変更
【補正の内容】
【００６１】
本発明の一実施の形態に係る方法は、移動局と基地局とを有する無線通信システムにおいてＨＡＲＱ再送プロトコルを用いて前記基地局にデータパケットを送信する、前記移動局により実行される方法であって、前記基地局にデータパケットを送信するステップと、前記基地局が前記データパケットの復号化に成功したか否かを示すフィードバックメッセージを、前記基地局から受信するステップと、前記フィードバックメッセージが、前記データパケットの復号化の成功を示していない場合であって、前記フィードバックメッセージの受信から所定の期間後の再送データパケットと、前記再送データパケットのデータよりも高い論理チャネル優先度を有する他のデータとを送信するのに必要な送信電力が、前記移動局により使用可能な最大送信電力よりも大きい場合に、前記最大送信電力を用いて、同じ送信時間間隔内で、前記再送データパケットと前記他のデータとを送信するステップと、を有するようにした。
【手続補正５】
【補正対象書類名】明細書
【補正対象項目名】００６２
【補正方法】変更
【補正の内容】
【００６２】
本発明の他の実施の形態に係る移動局は、移動局と基地局とを有する無線通信システムにおいてＨＡＲＱ再送プロトコルを用いて前記基地局にデータパケットを送信する移動局であって、前記基地局にデータパケットを送信する送信器と、前記基地局が前記データパケットの復号化に成功したか否かを示すフィードバックメッセージを、前記基地局から受信する受信器と、を有し、前記送信器は、前記フィードバックメッセージが、前記データパケットの復号化の成功を示していない場合であって、前記フィードバックメッセージの受信から所定の期間後の再送データパケットと、前記再送データパケットのデータよりも高い論理チャネル優先度を有する他のデータとを送信するのに必要な送信電力が、前記移動局により使用可能な最大送信電力よりも大きい場合に、前記最大送信電力を用いて、同じ送信時間間隔内で、前記再送データパケットと前記他のデータとを送信する、構成を採る。
【手続補正６】
【補正対象書類名】明細書
【補正対象項目名】００６３
【補正方法】変更
【補正の内容】
【００６３】
本発明の更に他の実施の形態に係る無線ネットワーク制御装置は、移動局と基地局とを有する無線通信システムにおいて前記移動局によりデータ送信に用いられるＨＡＲＱ再送プロトコルのパラメータを設定する無線ネットワーク制御装置であって、上記の方法を実行するか否か、またはそれと異なる方法を実行するか否かを示す再送モードインジケータを制御メッセージにおいて前記移動局へ送信する送信器を有する、構成を採る。
【手続補正７】
【補正対象書類名】明細書
【補正対象項目名】００６４
【補正方法】変更
【補正の内容】
【００６４】
本発明の更に他の実施の形態に係る無線通信システムは、上記の移動局を有し、アップリンク通信チャネルを介して前記移動局から基地局にデータパケットを送信するＨＡＲＱ再送プロトコルを実行する、構成を採る。
【手続補正８】
【補正対象書類名】明細書
【補正対象項目名】００６５
【補正方法】削除
【補正の内容】
【手続補正９】
【補正対象書類名】明細書
【補正対象項目名】００６６
【補正方法】削除
【補正の内容】
【手続補正１０】
【補正対象書類名】明細書
【補正対象項目名】００６７
【補正方法】削除
【補正の内容】
【手続補正１１】
【補正対象書類名】明細書
【補正対象項目名】００６８
【補正方法】削除
【補正の内容】
【手続補正１２】
【補正対象書類名】明細書
【補正対象項目名】００６９
【補正方法】削除
【補正の内容】
【手続補正１３】
【補正対象書類名】明細書
【補正対象項目名】００７０
【補正方法】削除
【補正の内容】
【手続補正１４】
【補正対象書類名】明細書
【補正対象項目名】００７１
【補正方法】削除
【補正の内容】
【手続補正１５】
【補正対象書類名】明細書
【補正対象項目名】００７２
【補正方法】削除
【補正の内容】
【手続補正１６】
【補正対象書類名】明細書
【補正対象項目名】００７３
【補正方法】削除
【補正の内容】
【手続補正１７】
【補正対象書類名】明細書
【補正対象項目名】００７４
【補正方法】削除
【補正の内容】
【手続補正１８】
【補正対象書類名】明細書
【補正対象項目名】００７５
【補正方法】削除
【補正の内容】
【手続補正１９】
【補正対象書類名】明細書
【補正対象項目名】００７６
【補正方法】削除
【補正の内容】
【手続補正２０】
【補正対象書類名】明細書
【補正対象項目名】００７７
【補正方法】削除
【補正の内容】
【手続補正２１】
【補正対象書類名】明細書
【補正対象項目名】００７８
【補正方法】削除
【補正の内容】
【手続補正２２】
【補正対象書類名】明細書
【補正対象項目名】００７９
【補正方法】削除
【補正の内容】
【手続補正２３】
【補正対象書類名】明細書
【補正対象項目名】００８０
【補正方法】削除
【補正の内容】
【手続補正２４】
【補正対象書類名】明細書
【補正対象項目名】００８１
【補正方法】削除
【補正の内容】
【手続補正２５】
【補正対象書類名】明細書
【補正対象項目名】００８２
【補正方法】削除
【補正の内容】
【手続補正２６】
【補正対象書類名】明細書
【補正対象項目名】００８３
【補正方法】削除
【補正の内容】
【手続補正２７】
【補正対象書類名】明細書
【補正対象項目名】００８４
【補正方法】削除
【補正の内容】
【手続補正２８】
【補正対象書類名】明細書
【補正対象項目名】００８５
【補正方法】削除
【補正の内容】
【手続補正２９】
【補正対象書類名】明細書
【補正対象項目名】００８６
【補正方法】削除
【補正の内容】
【手続補正３０】
【補正対象書類名】明細書
【補正対象項目名】００８７
【補正方法】削除
【補正の内容】
【手続補正３１】
【補正対象書類名】明細書
【補正対象項目名】００８８
【補正方法】削除
【補正の内容】
【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
移動局における、ＨＡＲＱ再送プロトコルを用いたデータパケット送信方法であって、
前記移動局により自発的に選択されたタイミングで基地局にデータパケットを送信する送信ステップと、
前記基地局での前記データパケットの復号化成功または復号化失敗を示すフィードバックメッセージを前記基地局から受信する受信ステップと、
前記データパケットの復号化失敗を示すフィードバックメッセージの受信後、前記データパケットの再送を前記基地局に送信する再送ステップと、を有し、
前記データパケットの復号化失敗を示すフィードバックメッセージの受信タイミングから前記データパケットの再送の送信タイミングまでの期間は、前記基地局にとって既知である所定の期間である、データパケット送信方法。
【請求項２】
前記データパケットに対して、トランスポートフォーマットコンビネーションを選択する選択ステップと、
前記データパケットの再送の送信電力を操作する操作ステップと、をさらに有し、
前記送信ステップは、
選択されたトランスポートフォーマットコンビネーションに必要とされた送信電力で前記データパケットを送信し、
前記操作ステップは、
前記データパケットの再送の送信電力を、選択されたトランスポートフォーマットコンビネーションに必要とされた送信電力よりも低減し、
前記再送ステップは、
前記データパケットの再送を、低減された送信電力で送信する、請求項１記載のデータパケット送信方法。
【請求項３】
前記データパケットは、拡張個別トランスポートチャネルのデータであり、
前記選択ステップは、
個別トランスポートチャネルのデータに対して、トランスポートフォーマットコンビネーションを選択する第１の選択ステップと、
前記拡張個別トランスポートチャネルのデータに対して、トランスポートフォーマットコンビネーションを選択する第２の選択ステップと、を有し、前記方法は、
前記個別トランスポートチャネルのデータを、前記第１の選択ステップで選択されたトランスポートフォーマットコンビネーションに必要とされた送信電力で送信するＤＣＨ送信ステップをさらに有し、
前記操作ステップは、
前記再送ステップが、前記拡張個別トランスポートチャネルのデータの再送を、前記個別トランスポートチャネルのデータと同時に送信する場合は、前記拡張個別トランスポートチャネルのデータの再送の送信電力を、前記第２の選択ステップで選択されたトランスポートフォーマットコンビネーションに必要とされた送信電力よりも低減する、請求項２記載のデータパケット送信方法。
【請求項４】
前記個別トランスポートチャネルのデータは、前記拡張個別トランスポートチャネルのデータよりも高い論理チャネル優先度を有する、請求項３記載のデータパケット送信方法。
【請求項５】
前記操作ステップは、
前記個別トランスポートチャネルのデータの再送と前記拡張個別トランスポートチャネルのデータとを同時に送信するのに必要な送信電力が前記移動局の最大送信電力を超過する場合に、前記拡張個別トランスポートチャネルのデータの再送の送信電力を低減する、請求項３記載のデータパケット送信方法。
【請求項６】
前記操作ステップは、
前記個別トランスポートチャネルのデータの再送の送信電力と前記拡張個別トランスポートチャネルのデータの送信電力との合計を、前記最大送信電力と等しくする、請求項５記載のデータパケット送信方法。
【請求項７】
前記第２の選択ステップは、ＲＲＣシグナリングにより示された論理チャネル優先度に従って行われる、請求項３記載のデータパケット送信方法。
【請求項８】
前記データパケットの再送は、送信時間間隔の始めに送信される、請求項１から請求項３のいずれかに記載のデータパケット送信方法。
【請求項９】
前記データパケットの復号化失敗を示すフィードバックメッセージの受信タイミングから前記データパケットの再送の送信タイミングまでの期間は、前記フィードバックメッセージを処理するのに必要な処理時間以上である、請求項１から請求項３のいずれかに記載のデータパケット送信方法。
【請求項１０】
ＨＡＲＱ再送プロトコルを用いたデータパケット送信を行う移動局であって、
前記移動局により自発的に選択されたタイミングで基地局にデータパケットを送信する送信器と、
前記基地局での前記データパケットの復号化成功または復号化失敗を示すフィードバックメッセージを前記基地局から受信する受信器と、を有し、
前記送信器は、前記データパケットの復号化失敗を示すフィードバックメッセージの受信後、前記データパケットの再送を前記基地局に送信し、
前記データパケットの復号化失敗を示すフィードバックメッセージの受信タイミングから前記データパケットの再送の送信タイミングまでの期間は、前記基地局にとって既知である所定の期間である、移動局。
【請求項１１】
前記データパケットに対して、トランスポートフォーマットコンビネーションを選択する選択手段と、
前記データパケットの再送の送信電力を操作する操作手段と、をさらに有し、
前記操作手段は、
前記データパケットの再送の送信電力を、選択されたトランスポートフォーマットコンビネーションに必要とされた送信電力よりも低減し、
前記送信器は、
選択されたトランスポートフォーマットコンビネーションに必要とされた送信電力で前記データパケットを送信して、低減された送信電力で前記データパケットの再送を送信する、請求項１０記載の移動局。
【請求項１２】
前記データパケットは、拡張個別トランスポートチャネルのデータであり、
前記選択手段は、
個別トランスポートチャネルのデータに対して、トランスポートフォーマットコンビネーションを選択するＭＡＣ−ｄエンティティと、
前記拡張個別トランスポートチャネルのデータに対して、トランスポートフォーマットコンビネーションを選択するＭＡＣ−ｅエンティティと、を有し、
前記送信器は、
前記個別トランスポートチャネルのデータを、前記ＭＡＣ−ｄエンティティにより選択されたトランスポートフォーマットコンビネーションに必要とされた送信電力で送信し、
前記操作手段は、
前記送信器が、前記拡張個別トランスポートチャネルのデータの再送を、前記個別トランスポートチャネルのデータと同時に送信する場合は、前記拡張個別トランスポートチャネルのデータの再送の送信電力を、前記ＭＡＣ−ｅエンティティにより選択されたトランスポートフォーマットコンビネーションに必要とされた送信電力よりも低減する、請求項１１記載の移動局。
【請求項１３】
請求項１０から請求項１２のいずれかに記載の移動局を有する、移動通信システム。
【手続補正３】
【補正対象書類名】明細書
【補正対象項目名】０００１
【補正方法】変更
【補正の内容】
【０００１】
本発明は、データパケット送信方法、移動局および無線通信システムに関する。
【手続補正４】
【補正対象書類名】明細書
【補正対象項目名】０００７
【補正方法】変更
【補正の内容】
【０００７】
ＨＡＲＱタイプＩでは、受信した誤りのあるデータパケット（ＰＤＵ（パケットデータユニット）とも呼ばれる）は放棄され、当該ＰＤＵの新しいコピーが再送され別々に復号化される。ＨＡＲＱタイプＩＩを用いると、再送される必要のある誤りのあるＰＤＵは放棄されないが、送信器によって与えられる幾らかの増加冗長（incremental redundancy）ビットと、後々の復号化のために合成される。再送されたＰＤＵは、しばしば高い符号化率を有し、受信器で記憶された値と合成される。つまり、各再送において僅かな冗長だけが付加される。
【手続補正５】
【補正対象書類名】明細書
【補正対象項目名】００１９
【補正方法】変更
【補正の内容】
【００１９】
ユーザ機器からノードＢに送信されるべきデータパケットを運ぶＭ個の異なるデータフロー（ＭＡＣ−ｄ）が存在する。これらのデータフローは、異なるＱｏＳ（サービス品質）、例えば、遅延およびエラーの要件を有してもよく、ＨＡＲＱインスタンスの異なる設定を必要とし得る。従って、データパケットは、異なる優先度キューに記憶され得る。ユーザ機器およびノードＢにそれぞれ位置するＨＡＲＱ送受信のエンティティのセットは、ＨＡＲＱ処理と称される。スケジューラは、異なる優先度キューにＨＡＲＱ処理を割り当てる際にＱｏＳパラメータを考慮する。ＭＡＣ−ｅｕエンティティは、レイヤ１シグナリングを介してノードＢ（ネットワーク側）からスケジューリング情報を受信する。
【手続補正６】
【補正対象書類名】明細書
【補正対象項目名】００４６
【補正方法】変更
【補正の内容】
【００４６】
非同期ＨＡＲＱフィードバック情報を有する再送プロトコルは、シーケンス番号（ＳＮ）またはフィードバックメッセージの他の明示的な識別を用い、同期ＨＡＲＱフィードバック情報を有するプロトコルは、例えばＨＳＤＰＡのように、受信される時間に基づいてフィードバックメッセージを識別する。フィードバックは、ＨＳ−ＤＳＣＨを受信した一定時間後にＨＳ−ＤＰＣＣＨで送られてもよい（http://www.3gpp.orgから入手可能な非特許文献６参照）。
【手続補正７】
【補正対象書類名】明細書
【補正対象項目名】００６１
【補正方法】変更
【補正の内容】
【００６１】
本発明の一実施の形態に係る方法は、移動局における、ＨＡＲＱ再送プロトコルを用いたデータパケット送信方法であって、前記移動局により自発的に選択されたタイミングで基地局にデータパケットを送信するステップと、前記基地局での前記データパケットの復号化成功または復号化失敗を示すフィードバックメッセージを前記基地局から受信するステップと、前記データパケットの復号化失敗を示すフィードバックメッセージの受信後、前記データパケットの再送を前記基地局に送信するステップと、を有し、前記データパケットの復号化失敗を示すフィードバックメッセージの受信タイミングから前記データパケットの再送の送信タイミングまでの期間は、前記基地局にとって既知である所定の期間であるようにした。
【手続補正８】
【補正対象書類名】明細書
【補正対象項目名】００６２
【補正方法】変更
【補正の内容】
【００６２】
本発明の他の実施の形態に係る移動局は、ＨＡＲＱ再送プロトコルを用いたデータパケット送信を行う移動局であって、前記移動局により自発的に選択されたタイミングで基地局にデータパケットを送信する送信器と、前記基地局での前記データパケットの復号化成功または復号化失敗を示すフィードバックメッセージを前記基地局から受信する受信器と、を有し、前記送信器は、前記データパケットの復号化失敗を示すフィードバックメッセージの受信後、前記データパケットの再送を前記基地局に送信し、前記データパケットの復号化失敗を示すフィードバックメッセージの受信タイミングから前記データパケットの再送の送信タイミングまでの期間は、前記基地局にとって既知である所定の期間である、構成を採る。
【手続補正９】
【補正対象書類名】明細書
【補正対象項目名】００６３
【補正方法】削除
【補正の内容】
【手続補正１０】
【補正対象書類名】明細書
【補正対象項目名】００６４
【補正方法】変更
【補正の内容】
【００６４】
本発明の更に他の実施の形態に係る無線通信システムは、上記の移動局を有する、構成を採る。
【手続補正１１】
【補正対象書類名】明細書
【補正対象項目名】００９７
【補正方法】変更
【補正の内容】
【００９７】
本発明の別の実施の形態は、アップリンクにおける電力制限により、所与の送信時間間隔内での再送データパケットの送信に使用され得る電力が、例えば、同時のより高い優先度のリアルタイムサービスにより十分でない状況に関連する。このような場合においても同期して再送を送るためには、ユーザ機器は、残余電力だけを再送に使用することができる。従って、再送の信頼性は、送信電力の低減により減少される。しかしながら、再送とそのデータパケットの先に記憶された送信との軟合成が復号化前に行われるため、復号化の成功がまだ可能である。
【手続補正１２】
【補正対象書類名】明細書
【補正対象項目名】００９９
【補正方法】変更
【補正の内容】
【００９９】
従って、電力リソースは、論理チャネルの優先度に従って、ＭＡＣ−ｄにおけるＴＦＣ選択に対して、および、ＭＡＣ−ｅにおけるＴＦＣ選択に対して割り当てることができる。所与のＴＦＣに対する、物理レイヤによって実行されるユーザ機器の送信電力推定は、一つのスロットの測定期間にわたる送信電力、および、対応するＴＦＣの利得係数を測定することで得ることができる。残余電力、即ち、ユーザ機器が送信に使用する最大電力と、再送データパケットと同じ送信時間間隔における送信保留中データの送信にＴＦＣによって要求される電力との差が再送データパケットの必要なトランスポートフォーマットをサポートするのに十分でない場合でも再送を行うためには、Ｅ−ＤＣＨ送信（Ｅ−ＤＰＤＣＨ）に使用される物理チャネルに適用される利得係数を操作することができる。
【手続補正１３】
【補正対象書類名】明細書
【補正対象項目名】０１００
【補正方法】変更
【補正の内容】
【０１００】
再送データパケットのトランスポートフォーマットに対する操作された利得係数を用いて、送信保留中データおよび再送データパケットに対して所望のＴＦＣをサポートするのに必要な総電力の計算の結果が、ＴＦＣの使用を可能にする値となる、即ち、ユーザ機器が使用できる最大送信電力よりも低くなることが実現される。この利得係数は、残余電力が再送トランスポートフォーマットのサポートに、従ってＴＦＣの使用に十分となるまで逐次減少される。
【国際調査報告】
2007517431.tif 000016
2007517431.tif 000017
2007517431.tif 000018